(57)【要約】【課題】視野角の均一性および歩留まりを向上した表示デバイスを提供する。【解決手段】第１透明基板15上に視差バリア層21を設ける。第１透明基板15の視差バリア層21側に第２透明基板24を貼り合わせる。第１透明基板15の視差バリア層21と反対側を研磨する。研磨した第１透明基板15に各種機能性膜を形成して対向基板６を構成する。視差バリア層21と画素13との位置ずれを抑制し、視野角の均一性および歩留まりを向上できる。【選択図】図１
2008164702.tif 000002
【特許請求の範囲】
【請求項１】
アレイ基板と、このアレイ基板に対向配置される対向基板と、これらアレイ基板と対向基板との間に介在された光変調層とを有し、複数の画素が形成され、これら画素のうち交互に位置する複数の画素で構成される複数の画素群で異なる画像を表示可能とする表示素子本体と、
前記対向基板の前記光変調層と反対側の面に設けられ、前記表示素子本体の各画素群で表示する画像を視差により分離して表示させる視差バリア層と
を具備したことを特徴とした表示素子。
【請求項２】
前記視差バリア層を覆う透明層を具備した
ことを特徴とした請求項１記載の表示素子。
【請求項３】
アレイ基板と、このアレイ基板に対向配置される対向基板と、これらアレイ基板と対向基板との間に介在された光変調層とを有し、複数の画素が形成され、これら画素のうち交互に位置する複数の画素で構成される複数の画素群で異なる画像を表示可能とする表示素子本体と、前記表示素子本体の各画素群で表示する画像を視差により分離して表示させる視差バリア層とを具備した表示素子の製造方法であって、
第１透明基板の一主面に前記視差バリア層を形成し、
この第１透明基板の一主面側を第２透明基板と貼り合わせ、
前記第１透明基板の他主面側を研磨してこの第１透明基板を所定厚みとし、
この研磨された第１透明基板の他主面上に前記機能性膜を形成して前記対向基板とする
ことを特徴とした表示素子の製造方法。
【発明の詳細な説明】
【技術分野】
【０００１】
本発明は、異なる方向から観測したときに、各方向で異なる画像を表示できる表示素子およびその製造方法に関する。
【背景技術】
【０００２】
従来の表示素子すなわち表示デバイスであるディスプレイは、長年、複数のユーザが同時に見ることができるように設計されており、その表示特性は、複数の観測者が、ディスプレイに対して異なった角度から同じ良質なイメージを見ることができるようにされていた。これは、複数のユーザが、例えば、空港および駅での出発情報の表示などのディスプレイから同じ情報を必要とする場合に使用すると効果的である。
【０００３】
しかしながら、個々のユーザが同じディスプレイから異なった情報を見得ることが所望される複数の用途がある。例えば、自動車の場合、ドライバが衛星ナビゲーションデータを見ることを所望する一方で、同乗者は、映画を見ることを所望し得る。この対立する要求は、２つの別個のディスプレイを提供することによって満たされ得るが、これは、余分な空間を占有し、かつ、コストを高くする。さらに、この例で２つの別個のディスプレイが用いられた場合、ドライバは、頭部を動かして同乗者のディスプレイを見ることができるが、ドライバの気を散らせることになる。
【０００４】
さらなる例として、２人以上のプレーヤ向けのコンピュータゲームをする各プレーヤは、自分の視点(パースペクティブ)からゲームを見ることを所望し得る。これは、現在、各プレーヤが別個のディスプレイ画面上でゲームを見ることによって行われ、これにより、各プレーヤは、別個の画面上で自分だけの固有の視点を有する。しかしながら、プレーヤごとに別個のディスプレイ画面を提供することによって、多くの空間が占有され、コストがかかり、ポータブルゲームのためには実用的でない。
【０００５】
これらの問題を解決するために、マルチプルビュー指向性ディスプレイが開発されている。マルチプルビュー指向性ディスプレイの応用例として、例えばデュアルビューディスプレイがある。これは、２つ以上の異なったイメージを同時に表示し得、各イメージは、特定の方向にのみ見え、すなわち、１つの方向から表示デバイスを見る観察者は１つのイメージを見るのに対して、別の異なった方向から表示デバイスを見る観察者は異なったイメージを見る。２人以上のユーザに異なったイメージを示し得るディスプレイは、２つ以上の別個のディスプレイを使用する場合と比べて空間およびコストの節約が可能となる。
【０００６】
また、マルチプルビュー指向性ディスプレイの他の応用例としては、例えば飛行機内で用いて、各乗客に個別の機内娯楽プログラムを提供するものがある。現在、各乗客に、典型的には、前方列シートの背面に個別のディスプレイが提供されているものの、マルチプルビュー指向性ディスプレイを用いることによって、１つのディスプレイで２人以上の乗客にサービス提供することが可能である一方で、各乗客が好みに応じて固有の映画の選択をすることがさらに可能になることから、コスト、空間および重量の節約が可能になる。
【０００７】
さらに、マルチプルビュー指向性ディスプレイの有利な点は、ユーザ間で互いの画面表示を見ることを不可能にする能力である。これは、例えば、現金自動預払機(ＡＴＭ)を用いる銀行または売買取引等のセキュリティを必要とする用途、ならびに、上述の例のコンピュータゲームにおいて所望される。
【０００８】
そして、従来、このようなマルチプルビュー指向性ディスプレイの製造プロセスでは、液晶を封入したパネルのカラーフィルタ側基板を２０〜１００μｍの厚さに適宜研磨した後、視差バリア層が形成された基板を液晶パネルのそれぞれ対向する画素に合わせて張り合わせる処理を施すのが一般的であった（例えば、特許文献１参照。）。
【特許文献１】特開２００５−７８０９４号公報
【発明の開示】
【発明が解決しようとする課題】
【０００９】
しかしながら、上述の場合、貼り合わせ時のアライメント精度や、接着層の厚み精度などの要因により、個々のパネルで視野角が異なるなどの問題、すなわち視野角の均一性が良好でないという問題が生じていた。
【００１０】
また、予め視差バリア層が形成された基板のバリア層上に厚さ２０〜１００μｍの透明層を直接形成するなどの方法も考えられるものの、薄い透明フィルムやガラス基板を扱う上でのハンドリングの問題や、液晶層を基板間に挟んでいることから透明層の厚さを２０〜１００±５μｍの精度で制御することが容易でないなどの問題があり、実用化には至っていないのが現状である。
【００１１】
本発明は、このような点に鑑みなされたもので、視野角の均一性および歩留まりを向上した表示素子およびその製造方法を提供することを目的とする。
【課題を解決するための手段】
【００１２】
本発明は、アレイ基板と、このアレイ基板に対向配置される対向基板と、これらアレイ基板と対向基板との間に介在された光変調層とを有し、複数の画素が形成され、これら画素のうち交互に位置する複数の画素で構成される複数の画素群で異なる画像を表示可能とする表示素子本体と、前記対向基板の前記光変調層と反対側の面に設けられ、前記表示素子本体の各画素群で表示する画像を視差により分離して表示させる視差バリア層とを具備したものである。
【００１３】
そして、対向基板の光変調層と反対側の面に、表示素子本体の各画素群で表示する画像を視差により分離して表示させる視差バリア層を設ける。
【００１４】
また、アレイ基板と、このアレイ基板に対向配置される対向基板と、これらアレイ基板と対向基板との間に介在された光変調層とを有し、複数の画素が形成され、これら画素のうち交互に位置する複数の画素で構成される複数の画素群で異なる画像を表示可能とする表示素子本体と、前記表示素子本体の各画素群で表示する画像を視差により分離して表示させる視差バリア層とを具備した表示素子の製造方法であって、第１透明基板の一主面に前記視差バリア層を形成し、この第１透明基板の一主面側を第２透明基板と貼り合わせ、前記第１透明基板の他主面側を研磨してこの第１透明基板を所定厚みとし、この研磨された第１透明基板の他主面上に前記機能性膜を形成して前記対向基板とするものである。
【００１５】
そして、第１透明基板の視差バリア層を形成した一主面を第２透明基板と貼り合わせ、第１透明基板の他主面側を研磨してこの第１透明基板を所定厚みとし、この研磨された第１透明基板の他主面上に機能性膜を形成して対向基板とする。
【発明の効果】
【００１６】
本発明によれば、視差バリア層と画素との位置ずれを抑制し、視野角の均一性および歩留まりを向上できる。
【発明を実施するための最良の形態】
【００１７】
以下、本発明の一実施の形態の表示素子の構成を、図面を参照して説明する。
【００１８】
図１において、１は表示素子としての液晶表示素子である液晶セルを示し、この液晶セル１は、図示しない面状光源装置であるバックライトにより背面側から照明されることで、異なる方向から観測したときに、各方向で異なる画像を表示可能な表示装置としてのマルチプルビュー指向性ディスプレイに用いられるものである。
【００１９】
そして、液晶セル１は、同時に複数の画像を表示する表示素子本体としての表示デバイス２、および異なる所定の視角方向から表示デバイス２で表示する画像が個別に視認されるように画像分離するための光学素子としての光学デバイス３を備えている。
【００２０】
表示デバイス２には、一般的なＲＧＢストライプ構造のアクティブマトリクス型ＴＦＴ液晶表示素子が用いられる。すなわち、この表示デバイス２は、図示しないスペーサにより一定の間隔で保持されたアレイ基板５と対向基板６との間に光変調層としての液晶層７を介在した構造である。
【００２１】
アレイ基板５には、透明基板11上に、図示しないスイッチング素子であるＴＦＴおよび画素電極12などが形成されて、複数の画素13がマトリクス状に形成されている。また、対向基板６には、透明な第１透明基板15の液晶層７側の主面に、ＲＧＢ各色のストライプ状のカラーフィルタ層16(カラーフィルタ層16r，16g，16b)、および、対向電極としての透明電極であるＩＴＯ電極17などが積層されている。そして、これらアレイ基板５と対向基板６とを合わせて複数の画素13を有する画素部である画素ピクセルが構成されている。
【００２２】
この表示デバイス２は、図示しない駆動回路により所定の画像を表示可能としており、さらに、複数の異なる画像も表示可能としている。すなわち、複数の画素13のうち、例えば左右方向等の視差により画像を分離する方向に１列ずつ交互に位置する複数の画素13aで構成される画素群と複数の画素13bで構成される画素群とで２つの画素群を構成し、各画素群によって個別の画像を表示可能としている。
【００２３】
中間層である第１透明基板15は、液晶セル１の画素サイズにもよるが、通常２０〜１００μｍの厚みに設定されることが好ましい。また、この第１透明基板15は、光の利用効率を考慮すると、ガラス、アクリルなど透過率が高い材料が好ましく、かつ、カラー表示のためのカラーフィルタ層16を付与するためには、１００〜２００℃程度の耐熱性がある材料が好ましい。
【００２４】
一方、光学デバイス３は、第１透明基板15の液晶層７と反対側の主面に、視差により画像を分離する方向に沿って、遮光部である視差バリア層21と透明部であるスリット部22とが交互に形成され、これら視差バリア層21が透明な接着層23および第２透明基板24により覆われている。これら視差バリア層21およびスリット部22によって画像分離部25が形成されている。
【００２５】
視差バリア層21は、例えば、光の反射の少ない黒色の樹脂レジスト材料にて形成され、あるいは視差バリア層21の表面に光の反射防止処理が施されている。また、視差バリア層21は、表示デバイス２の視差により画像を分離する方向の隣接する２つの画素13間の位置でかつ２つの画素13毎のピッチで形成されている。
【００２６】
スリット部22は、接着層23により透明な状態となっている。
【００２７】
第２透明基板24は、視差バリア層21を保護する透明層であり、液晶セル対向基板となるものである。
【００２８】
そして、光学デバイス３が表示デバイス２の正面側に配設され、視差バリア層21が表示デバイス２に連続して形成されている。表示デバイス２の背面および光学デバイス３の正面には、図示しない偏光層がそれぞれ設けられている。
【００２９】
また、バックライトは、図示しない光源、およびこの光源の光を入射して液晶セル１の背面側に対向する面から出射する導光板を備えている。
【００３０】
そして、上記液晶セル１は、図１および図２に示すように、複数の画素13のうち、視差により画像を分離する方向(図中左右方向)に１列ずつ交互に位置する複数の画素13aで構成される画素群と複数の画素13bで構成される画素群とで異なる画像を表示することで、所定の視角方向Ｌから見た場合には、複数の画素13aの画素群で表示される画像が視差バリア層21で遮断され、複数の画素13bの画素群で表示される画像がスリット部22を通じて視認され、一方、所定の視角方向Ｒから見た場合には、複数の画素13bの画素群で表示される画像が視差バリア層21で遮断され、複数の画素13aの画素群で表示される画像がスリット部22を通じて視認される。このとき、各視角方向Ｌ，Ｒにおいて、カラーフィルタ層16r，16g，16bを通過した光LR，LG，LBおよび光RR，RG，RBが各スリット部22から視認されることで、これらの色の画像が混合され、カラーの画像として視認される。
【００３１】
次に、上記一実施の形態の製造方法を説明する。
【００３２】
まず、対向基板６の製造時には、図３に示すように、従来の製造ラインで使用している例えば厚さ０．５〜０．７ｍｍのガラス基板などの第１透明基板15上に、金属膜や黒色レジスト材料などを用いて視差バリア層21を形成する(第１工程)。
【００３３】
次いで、図４に示すように、上記視差バリア層21を形成した第１透明基板15上に、視差バリア層21の保護層となる第２透明基板24を、接着層23を介して貼り合わせる(第２工程)。
【００３４】
さらに、各透明基板15，24を貼り合わせた後、図５に示すように、視差バリア層21が形成されている第１透明基板15の視差バリア層21と反対側を研磨して、第１透明基板15を２０〜１００μｍの厚さとし、視差バリア層21付きの対向基板６を形成する(第３工程)。
【００３５】
そして、研磨が完了した対向基板６には、図６に示すように、必要に応じて視差バリア層21が直接形成されている側と反対側の面に、視差バリア層21を基準としてブラックマトリクスやカラーフィルタ層16、ＩＴＯ電極17などの、画素13を構成するマトリクス型表示素子を構成する機能性膜を適宜形成する(第４工程)。
【００３６】
この後、この対向基板６を、予め形成したアレイ基板５に対して、所定のスペーサを介して図示しないシール材などにより貼り合わせ、これら基板５，６間に液晶層７を注入して液晶セル１が完成する(第５工程)。
【００３７】
上述したように、上記一実施の形態では、第１透明基板15上に視差バリア層21を設け、この視差バリア層21側に第２透明基板24を貼り合わせるとともに、第１透明基板15の視差バリア層21と反対側を研磨し、この研磨した第１透明基板15に各種機能性膜を形成して対向基板６を構成した。
【００３８】
すなわち、第２透明基板に視差バリア層を形成して、機能性膜を予め形成してアレイ基板側と貼り合わせた第１透明基板に貼り合わせる従来の場合では、各画素13と視差バリア層との位置合わせが容易でなかったのに対して、本実施の形態では、マルチプルビュー方向の視野角を左右する画素13と反対側に、第２透明基板24を貼り合わせるため、接着層23の厚みは殆ど制御する必要がないので、従来マルチプルビュー指向性ディスプレイの製造プロセスで問題となっていた視差バリア層とカラーフィルタやブラックマトリクス層との貼り合わせ時の位置ずれによる視野角のばらつきが改善され、従来の液晶セル１の製造プロセスにおいて歩留まりを低下させていた貼り合わせ工程での歩留まりが向上する。
【００３９】
また、第２透明基板24と接着層23で固定された第１透明基板15を研磨するので、従来の液晶セル研磨プロセスで問題となっていた研磨圧力がセル中央部と周辺部とで異なることによって生じる研磨むらなどが殆ど生じることがなく、研磨プロセスの歩留まりが向上する。
【００４０】
さらに、視差バリア層21を形成した第１透明基板15を研磨するため、完成した液晶セル１を研磨する場合と比較して、万一不良品が発生した場合の損益も大幅に削減できる。
【００４１】
そして、以上のプロセスによって形成された視差バリア層21付きの対向基板６を用いることで、従来液晶セル工程と全く同じプロセスで視野角均一性に優れたマルチプルビュー指向性ディスプレイを容易に提供できる。
【００４２】
また、視差バリア層21を覆って透明層である第２透明基板24を設けることで、視差バリア層21を物理的および化学的に保護できる。
【００４３】
なお、上記一実施の形態において、カラーフィルタ層16を設けずに、白黒の画像としても同様の作用効果を奏することができる。
【００４４】
また、表示デバイス２としては、アクティブマトリクス型ＴＦＴ液晶表示素子に限らず、他の表示素子を用いることもできる。
【図面の簡単な説明】
【００４５】
【図１】本発明の一実施の形態の表示素子を示す説明断面図である。
【図２】同上表示素子の作用を示す拡大説明図である。
【図３】同上表示素子の製造方法の第１工程を示す説明断面図である。
【図４】同上表示素子の製造方法の第２工程を示す説明断面図である。
【図５】同上表示素子の製造方法の第３工程を示す説明断面図である。
【図６】同上表示素子の製造方法の第４工程を示す説明断面図である。
【符号の説明】
【００４６】
１    表示素子としての液晶セル
２    表示素子本体としての表示デバイス
５    アレイ基板
６    対向基板
７    光変調層としての液晶層
13    画素
15    第１透明基板
21    視差バリア層
24    透明層である第２透明基板
【図１】
2008164702.tif 000003
【図２】
2008164702.tif 000004
【図３】
2008164702.tif 000005
【図４】
2008164702.tif 000006
【図５】
2008164702.tif 000007
【図６】
2008164702.tif 000008